(57)【要約】【課題】  複数種のデジタル放送の再送信について、伝送系統を１系統化してシステムコストを抑え、安定した品質で放送信号を伝送する。【解決手段】  送信処理装置８にて、複数種のデジタル放送信号について、重複する中間周波数の１つまたは複数の信号を、未使用周波数帯域である高周波数帯域に重複しないように周波数変換して混合し、同軸ケーブルでは伝送困難となった信号を電気信号から光信号に変換し、光ファイバ１６を通じて伝送した後、受信処理装置１８にて、光信号を受信して電気信号に変換し、送信側で周波数変換された放送信号を元の帯域に戻すようにしている。このように、送信処理において混合後すぐに電気／光変換して光ファイバで伝送するという特徴をもつことで、伝送周波数帯による減衰量格差があるという問題を解消する。【選択図】      図１
2006245803.tif 000002
【特許請求の範囲】
【請求項１】
個別に受信される複数種のデジタル放送信号を再送信するデジタル放送信号伝送システムにおいて、
前記複数種のデジタル放送信号を互いに異なる周波数帯に変換し、混合し、光信号に変換して送出する送信処理手段と、
前記光送信手段から送出される光信号を伝送する光伝送手段と、
前記光伝送手段で伝送される光信号を受信して電気信号に変換し、元の複数種のデジタル放送信号に分離し、それぞれ規定の周波数帯に変換して送出する受信処理手段と、
を具備することを特徴とするデジタル放送信号伝送システム。
【請求項２】
前記送信処理手段は、４７０ＭＨｚ〜７７０ＭＨｚ帯の地上デジタル放送信号、１０３２ＭＨｚ〜１４８９ＭＨｚ帯のＢＳ（Broadcast Satellite）放送信号、１５９５ＭＨｚ〜２６０２ＭＨｚ帯の１１０度ＣＳ（Communication Satellite）右旋・左旋放送信号、１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号の少なくともいずれかを入力し、地上デジタル放送信号、ＢＳ放送信号、１１０度ＣＳ右旋・左旋放送信号はそのままの周波数帯で混合し、前記ＪＣＳＡＴ−３通信衛星放送信号及びＪＣＳＡＴ−４Ａ通信衛星放送信号はそれぞれ地上デジタル放送信号、ＢＳ放送信号、１１０度ＣＳ右旋・左旋放送信号より上の帯域で互いに異なる周波数帯に変換して混合するものとし、
前記受信処理手段は、前記電気信号に変換された信号を、４７０ＭＨｚ〜７７０ＭＨｚ帯の地上デジタル放送信号、１０３２ＭＨｚ〜１４８９ＭＨｚ帯のＢＳ放送信号、１５９５ＭＨｚ〜２６０２ＭＨｚ帯の１１０度ＣＳ右旋・左旋放送信号の第１の組と、それより上の帯域の前記ＪＣＳＡＴ−３通信衛星放送信号及びＪＣＳＡＴ−４Ａ通信衛星放送信号の第２の組とに分割し、分割された第２の組をさらに前記１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号とに分割・周波数変換することを特徴とする請求項１記載のデジタル放送信号伝送システム。
【請求項３】
前記光伝送手段は、前記光信号を複数系統に分配する光分配手段を備えることを特徴とする請求項１記載のデジタル放送信号伝送システム。
【請求項４】
個別に受信される複数種のデジタル放送信号を再送信するデジタル放送信号伝送システムに用いられ、
前記複数種のデジタル放送信号を入力するための入力手段と、
前記入力手段からの複数種のデジタル放送信号を互いに異なる周波数帯に変換する周波数帯変換手段と、
前記互いに異なる周波数帯に変換された複数種の放送信号を混合して１信号とする混合手段と、
前記混合手段で混合された１信号を光信号に変換して光伝送路に送出する送出手段と、
を具備することを特徴とするデジタル放送信号伝送システムの送信処理装置。
【請求項５】
前記入力手段は、前記複数種のデジタル放送信号として、４７０ＭＨｚ〜７７０ＭＨｚ帯の地上デジタル放送信号、１０３２ＭＨｚ〜１４８９ＭＨｚ帯のＢＳ（Broadcast Satellite）放送信号、１５９５ＭＨｚ〜２６０２ＭＨｚ帯の１１０度ＣＳ（Communication Satellite）右旋・左旋放送信号、１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号を入力可能とし、
前記周波数変換手段は、地上デジタル放送信号、ＢＳ放送信号、１１０度ＣＳ右旋・左旋放送信号はそのままの周波数帯とし、前記ＪＣＳＡＴ−３通信衛星放送信号及びＪＣＳＡＴ−４Ａ通信衛星放送信号はそれぞれ地上デジタル放送信号、ＢＳ放送信号、１１０度ＣＳ右旋・左旋放送信号より上の帯域で互いに異なる周波数帯に変換することを特徴とする請求項４記載のデジタル放送信号伝送システムの送信処理装置。
【請求項６】
前記入力手段は、前記地上デジタル放送信号、ＢＳ放送信号、１１０度ＣＳ右旋・左旋放送信号が混合された信号を１放送信号として入力することを特徴とする請求項５記載のデジタル放送信号伝送システムの送信処理装置。
【請求項７】
個別に受信される複数種のデジタル放送信号を再送信するデジタル放送信号伝送システムに用いられ、
前記複数種のデジタル放送信号が互いに異なる周波数帯に変換され、混合され、電気−光変換されて伝送される光信号を受信して電気信号に変換する光受信手段と、
前記信号を元の複数種のデジタル放送信号に分離し、それぞれ規定の周波数帯に変換する周波数変換手段と、
前記規定の周波数帯に変換された複数種のデジタル放送信号をそれぞれ出力する出力手段と、
を具備することを特徴とするデジタル放送信号伝送システムの受信処理装置。
【請求項８】
前記光受信手段で受信される光信号が、地上デジタル放送信号、ＢＳ放送信号、１１０度ＣＳ右旋・左旋放送信号は規定周波数帯で、前記ＪＣＳＡＴ−３通信衛星放送信号及びＪＣＳＡＴ−４Ａ通信衛星放送信号はそれぞれ地上デジタル放送信号、ＢＳ放送信号、１１０度ＣＳ右旋・左旋放送信号より上の帯域で互いに異なる周波数帯に変換されて混合された信号であるとき、
前記周波数変換手段は、前記複数種のデジタル放送信号として、４７０ＭＨｚ〜７７０ＭＨｚ帯の地上デジタル放送信号、１０３２ＭＨｚ〜１４８９ＭＨｚ帯のＢＳ（Broadcast Satellite）放送信号、１５９５ＭＨｚ〜２６０２ＭＨｚ帯の１１０度ＣＳ（Communication Satellite）右旋・左旋放送信号の第１の組と、それより上の帯域の前記ＪＣＳＡＴ−３通信衛星放送信号及びＪＣＳＡＴ−４Ａ通信衛星放送信号の第２の組とで分割し、分割された第２の組をさらに前記１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号に分割・周波数変換することを特徴とする請求項７記載のデジタル放送信号伝送システムの受信処理装置。
【請求項９】
前記出力手段は、前記第１の組の４７０ＭＨｚ〜７７０ＭＨｚ帯の地上デジタル放送信号、１０３２ＭＨｚ〜１４８９ＭＨｚ帯のＢＳ放送信号、１５９５ＭＨｚ〜２６０２ＭＨｚ帯の１１０度ＣＳ右旋・左旋放送信号を混合された状態で出力することを特徴とする請求項８記載のデジタル放送信号伝送システムの受信処理装置。
【発明の詳細な説明】
【技術分野】
【０００１】
本発明は、地上デジタル放送、複数のデジタル衛星放送等の各種デジタル放送を夫々のアンテナで個別に受信し、その受信信号をまとめて再送信するデジタル放送信号伝送システムに関する。
【背景技術】
【０００２】
近時、ＢＳ（Broadcast Satellite）放送・１１０度ＣＳ（Communication Satellite）放送及びＣＳ放送におけるデジタル衛星放送に加え、地上デジタル放送が開始された。このような複数の放送信号を受信して複数の端末に再送信する伝送システムにあっては、衛星放送の信号をアンテナ出力部に装備されるコンバータによって同軸ケーブルなどの伝送に適した中間周波数に変換するが、互いに中間周波数が重複するため、同じ伝送線路で多重伝送することができず、別個に敷設された同軸ケーブルにより伝送するようにしている。
【０００３】
例えば、地上デジタル放送と、ＢＳ放送・１１０度ＣＳ放送と、ＣＳ放送のＪＣＳＡＴ−４Ａサービス及びＪＣＳＡＴ−３サービスとを受信し、それぞれ複数の端末に伝送するためには、ＢＳ放送・１１０度ＣＳ放送の放送信号の中間周波数と、ＣＳ放送ＪＣＳＡＴ−４Ａサービスの信号の中間周波数と、ＣＳ放送ＪＣＳＡＴ−３サービスの信号の中間周波数が重複する。このため、地上デジタル放送＋ＢＳ放送＋１１０度ＣＳ放送の伝送系統１、ＣＳ放送ＪＣＳＡＴ−４Ａサービスの伝送系統２、ＣＳ放送ＪＣＳＡＴ−３サービスの伝送系統３と、３系統の同軸システムの構成で伝送される。
【０００４】
尚、ＣＳ放送におけるＪＣＳＡＴ−４Ａサービスの水平（Ｈ）・垂直（Ｖ）偏波をＪＣＳＡＴ−３サービスの水平（Ｈ）・垂直（Ｖ）偏波の中間周波数と重複しないように周波数変換し、ＣＳ放送を１系統で伝送することにより、２系統の同軸システムの構成で伝送する方法もある。
【０００５】
また、伝送線路として一般的に同軸ケーブルを使用されるが、同軸ケーブルの特性は伝送周波数が高くなればなるほど伝送損失が増加することが知られている。ＪＩＳ規格では、１８００ＭＨｚにおける同軸ケーブルの減衰量を規定しているが、現存する１１０度ＣＳ放送の右旋円偏波やＣＳスカイパーフェクＴＶ放送の周波数帯域である２０７２ＭＨｚまでは規定されていない。このため、上記のような高周波放送信号を伝送するには、伝送損失を補償するために、伝送区間に増幅器を多段に設置する必要がある。
【０００６】
さらに、将来予定されている１１０度ＣＳ放送の左旋円偏波の中間周波数は、２１２６ＭＨｚ〜２６０２ＭＨｚとさらに高い周波数帯域を使用される見込みである。
一方、周波数が高い衛星放送の中間周波数を光ファイバで伝送し、周波数の低い地上波放送の周波数を同軸ケーブルで伝送した後、合成して出力する方法もある（特許文献１参照）。しかし、この方法では光ファイバによる伝送系と同軸ケーブルによる伝送系と異なる２系統の伝送構成になるため、経済的な不利益が大きくなると共に、設計や運用管理が複雑になるおそれがある。
【０００７】
【特許文献１】特開平７−１０７３２８号公報
【発明の開示】
【発明が解決しようとする課題】
【０００８】
以上述べたように、従来のデジタル放送伝送システムでは、同軸ケーブルによる３系統または２系統の伝送構成や、光ファイバと同軸ケーブルを組み合わせた２系統の伝送構成では、伝送形態が複雑となり、増幅器の多段接続における伝送品質劣化の問題、コスト面の問題、スペースの問題、増幅器の電源取得の問題、故障時対応や機器調整など保守運用の問題など多くの問題発生につながる。
【０００９】
また、従来の放送ＩＦで想定されていない２．６ＧＨｚ超の帯域信号を伝送する場合、同軸ケーブルでは伝送損失が非常に多く、長距離および多分配伝送が困難であるという問題発生につながる。例えば、Ｓ−７Ｃ−ＦＢの同軸ケーブルで信号を伝送する場合、１ＧＨｚ帯信号と５ＧＨｚ帯信号では１メートル当たりの伝送信号減衰量が３倍程度異なる。
【００１０】
また、放送信号にはアナログ変調信号とデジタル変調信号と２種類に分類することができるが、アナログ変調記号は、デジタル変調記号と比較して１０ｄＢ程度良好な品質が要求されるため、１キャリア当たりに配分する変調度が多くなり、電気／光変換部、増幅部に高い線形性を要求することとなる。このようにアナログ変調記号を伝送する場合、構成部へ高い直線性を要求しなければならず、構成品選定が困難となるという問題発生につながる。
【００１１】
本発明は上記の事情を鑑みてなされたもので、地上デジタル放送及び複数の衛星放送といった複数種のデジタル放送の再送信について、伝送系統を１系統化し、システムコストを抑え、また増幅器などの多段接続をなくし、安定した品質で放送信号を伝送することのできるデジタル放送信号伝送システムとその送信処理装置及び受信処理装置を提供することを目的とする。
【課題を解決するための手段】
【００１２】
本発明に係るデジタル放送信号伝送システムは、以下のように構成される。
（１）個別に受信される複数種のデジタル放送信号を再送信するデジタル放送信号伝送システムにおいて、前記複数種のデジタル放送信号を互いに異なる周波数帯に変換し、混合し、光信号に変換して送出する送信処理手段と、前記光送信手段から送出される光信号を伝送する光伝送手段と、前記光伝送手段で伝送される光信号を受信して電気信号に変換し、元の複数種のデジタル放送信号に分離し、それぞれ規定の周波数帯に変換して送出する受信処理手段とを具備して構成される。
【００１３】
（２）（１）において、前記送信処理手段は、４７０ＭＨｚ〜７７０ＭＨｚ帯の地上デジタル放送信号、１０３２ＭＨｚ〜１４８９ＭＨｚ帯のＢＳ（Broadcast Satellite）放送信号、１５９５ＭＨｚ〜２６０２ＭＨｚ帯の１１０度ＣＳ（Communication Satellite）右旋・左旋放送信号、１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号の少なくともいずれかを入力し、地上デジタル放送信号、ＢＳ放送信号、１１０度ＣＳ右旋・左旋放送信号はそのままの周波数帯で混合し、前記ＪＣＳＡＴ−３通信衛星放送信号及びＪＣＳＡＴ−４Ａ通信衛星放送信号はそれぞれ地上デジタル放送信号、ＢＳ放送信号、１１０度ＣＳ右旋・左旋放送信号より上の帯域で互いに異なる周波数帯に変換して混合するものとし、前記受信処理手段は、前記電気信号に変換された信号を、４７０ＭＨｚ〜７７０ＭＨｚ帯の地上デジタル放送信号、１０３２ＭＨｚ〜１４８９ＭＨｚ帯のＢＳ放送信号、１５９５ＭＨｚ〜２６０２ＭＨｚ帯の１１０度ＣＳ右旋・左旋放送信号の第１の組と、それより上の帯域の前記ＪＣＳＡＴ−３通信衛星放送信号及びＪＣＳＡＴ−４Ａ通信衛星放送信号の第２の組とに分割し、分割された第２の組をさらに前記１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号とに分割・周波数変換することを特徴とする。
【００１４】
（３）（１）において、前記光伝送手段は、前記光信号を複数系統に分配する光分配手段を備えることを特徴とする。
本発明に係るデジタル放送信号伝送システムの送信処理装置は、以下のように構成される。
（４）個別に受信される複数種のデジタル放送信号を再送信するデジタル放送信号伝送システムに用いられ、前記複数種のデジタル放送信号を入力するための入力手段と、前記入力手段からの複数種のデジタル放送信号を互いに異なる周波数帯に変換する周波数帯変換手段と、前記互いに異なる周波数帯に変換された複数種の放送信号を混合して１信号とする混合手段と、前記混合手段で混合された１信号を光信号に変換して光伝送路に送出する送出手段と、具備して構成される。
【００１５】
（５）（４）の構成において、前記入力手段は、前記複数種のデジタル放送信号として、４７０ＭＨｚ〜７７０ＭＨｚ帯の地上デジタル放送信号、１０３２ＭＨｚ〜１４８９ＭＨｚ帯のＢＳ（Broadcast Satellite）放送信号、１５９５ＭＨｚ〜２６０２ＭＨｚ帯の１１０度ＣＳ（Communication Satellite）右旋・左旋放送信号、１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号を入力可能とし、前記周波数変換手段は、地上デジタル放送信号、ＢＳ放送信号、１１０度ＣＳ右旋・左旋放送信号はそのままの周波数帯とし、前記ＪＣＳＡＴ−３通信衛星放送信号及びＪＣＳＡＴ−４Ａ通信衛星放送信号はそれぞれ地上デジタル放送信号、ＢＳ放送信号、１１０度ＣＳ右旋・左旋放送信号より上の帯域で互いに異なる周波数帯に変換することを特徴とする。
【００１６】
（６）（５）の構成において、前記入力手段は、前記地上デジタル放送信号、ＢＳ放送信号、１１０度ＣＳ右旋・左旋放送信号が混合された信号を１放送信号として入力することを特徴とする。
本発明に係るデジタル放送信号伝送システムの受信処理装置は、以下のように構成される。
【００１７】
（７）個別に受信される複数種のデジタル放送信号を再送信するデジタル放送信号伝送システムに用いられ、前記複数種のデジタル放送信号が互いに異なる周波数帯に変換され、混合され、電気−光変換されて伝送される光信号を受信して電気信号に変換する光受信手段と、前記信号を元の複数種のデジタル放送信号に分離し、それぞれ規定の周波数帯に変換する周波数変換手段と、前記規定の周波数帯に変換された複数種のデジタル放送信号をそれぞれ出力する出力手段とを具備して構成される。
【００１８】
（８）（７）の構成において、前記光受信手段で受信される光信号が、地上デジタル放送信号、ＢＳ放送信号、１１０度ＣＳ右旋・左旋放送信号は規定周波数帯で、前記ＪＣＳＡＴ−３通信衛星放送信号及びＪＣＳＡＴ−４Ａ通信衛星放送信号はそれぞれ地上デジタル放送信号、ＢＳ放送信号、１１０度ＣＳ右旋・左旋放送信号より上の帯域で互いに異なる周波数帯に変換されて混合された信号であるとき、前記周波数変換手段は、前記複数種のデジタル放送信号として、４７０ＭＨｚ〜７７０ＭＨｚ帯の地上デジタル放送信号、１０３２ＭＨｚ〜１４８９ＭＨｚ帯のＢＳ（Broadcast Satellite）放送信号、１５９５ＭＨｚ〜２６０２ＭＨｚ帯の１１０度ＣＳ（Communication Satellite）右旋・左旋放送信号の第１の組と、それより上の帯域の前記ＪＣＳＡＴ−３通信衛星放送信号及びＪＣＳＡＴ−４Ａ通信衛星放送信号の第２の組とで分割し、分割された第２の組をさらに前記１０００ＭＨｚ〜２０７２ＭＨｚ帯のＪＣＳＡＴ−３通信衛星放送信号、１０００ＭＨｚ〜２０７２ＭＨｚ帯のＪＣＳＡＴ−４Ａ通信衛星放送信号に分割・周波数変換することを特徴とする。
【００１９】
（９）（８）の構成において、前記出力手段は、前記第１の組の４７０ＭＨｚ〜７７０ＭＨｚ帯の地上デジタル放送信号、１０３２ＭＨｚ〜１４８９ＭＨｚ帯のＢＳ放送信号、１５９５ＭＨｚ〜２６０２ＭＨｚ帯の１１０度ＣＳ右旋・左旋放送信号を混合された状態で出力することを特徴とする。
【００２０】
すなわち、本発明に係るデジタル放送信号伝送システムでは、送信処理手段にて、複数種のデジタル放送信号について、重複する中間周波数の１つまたは複数の信号を、未使用周波数帯域である高周波数帯域に重複しないように周波数変換して混合し、同軸ケーブルでは伝送困難となった信号を電気信号から光信号に変換し、光伝送手段を通じて伝送した後、受信処理手段にて、光信号を受信して電気信号に変換し、送信側で周波数変換された放送信号を元の帯域に戻すようにしている。このように、送信処理において混合後すぐに電気／光変換して光伝送手段で伝送するという特徴をもつことで、伝送周波数帯による減衰量格差があるという問題を解消する。また、伝送すべき信号をデジタルに限定するという特徴を有することで、電気／光変換時のチャネル当たりの変調度、全変調度を抑制し、広帯域のデジタル放送信号光伝送をより安易に可能としている。
【発明の効果】
【００２１】
以上、本発明によれば、地上デジタル放送及び複数の衛星放送といった複数種のデジタル放送の再送信について、伝送系統を１系統化し、システムコストを抑え、また増幅器などの多段接続をなくし、安定した品質で放送信号を伝送することのできるデジタル放送信号伝送システムとその送信処理装置及び受信処理装置を提供することができる。
【発明を実施するための最良の形態】
【００２２】
以下、図面を参照して本発明の実施の形態を詳細に説明する。
図１は本発明に係るデジタル放送伝送システムに適用した場合の構成を示すもので、アンテナ系としては、ＢＳ・１１０度ＣＳデジタル衛星放送受信用パラボラアンテナ（以下、第１衛星デジタルアンテナ）１、地上デジタルＴＶ放送受信用アンテナ（以下、地上デジタルアンテナ）３、ＣＳデジタル衛星放送受信用パラボラアンテナ（以下、第２衛星デジタルアンテナ）５が用意される。
【００２３】
第１衛星デジタルアンテナ１の出力部には周波数コンバータ２が装着されている。この周波数コンバータ２は、アンテナ１で受けたＢＳ放送信号Ｂ、１１０度ＣＳ放送信号（ここでは右旋、左旋を共に含むものとする）Ｃを規定の中間周波数帯１０３２ＭＨｚ〜２６０２ＭＨｚに変換するためのもので、その出力は地上デジタルアンテナ３で受けた地上デジタル放送信号Ａと共にブースター４に送られて混合及び増幅される。以下、この信号を放送信号Ｆとする。
【００２４】
また、第２衛星デジタルアンテナ５の出力部には第１乃至第４の周波数コンバータ６ａ〜６ｄが装着されている。これらの周波数コンバータ６ａ〜６ｄは、それぞれＣＳ放送のＪＣＳＡＴ−３サービスの垂直（Ｖ）・水平（Ｈ）及びＪＣＳＡＴ−４Ａサービスの垂直（Ｖ）・水平（Ｈ）の信号を伝送用中間周波数帯に変換するためのもので、サービス毎にＨ・Ｖ混合器７ａ、７ｂで各々混合される。ここで、ＪＣＳＡＴ−３サービスは１０００ＭＨｚ〜２０７２ＭＨｚの周波数帯に変換され（以下、放送信号Ｄ）、ＪＣＳＡＴ−４Ａサービスは１０００ＭＨｚ〜２０７２ＭＨｚの周波数帯に変換される（以下、放送信号Ｅ）。
【００２５】
上記アンテナ系で得られる放送信号Ｆ，Ｄ，Ｅは、それぞれ同軸ケーブルを介して送信処理装置８に伝送される。この送信処理装置８は入力端子９ａ，９ｂ，９ｃを備え、各入力端子９ａ，９ｂ，９ｃにそれぞれ上記ブースター４、混合器７ａ，７ｂからの同軸ケーブルと接続されて放送信号Ｆ，Ｄ，Ｅを入力する。このうち、放送信号Ｄ，Ｅはそれぞれ周波数変換部１０ａ，１０ｂで２．６ＧＨｚを超えかつ重複しない周波数に周波変換される。
【００２６】
尚、本実施形態では、周波数変換部１０ａ，１０ｂにおける局部発振器の発振周波数について、放送信号Ｅは１．６１０ＧＨｚ、放送信号Ｄは２０７８ＭＨｚに設定し、ＪＣＳＡＴ−３サービスの場合は３０７８ＭＨｚ〜４１５０ＭＨｚ（以下、放送信号Ｄ’）、ＪＣＳＡＴ−４Ａサービスの場合は２６１０ＭＨｚ〜３６８２ＭＨｚ（以下、放送信号Ｅ’）の周波数に変換する。
【００２７】
上記の放送信号Ｄ’、Ｅ’は、増幅部１１ｂ、１１ｃで増幅された後、混合部１２において混合され、放送信号Ｇ（周波数帯２６１０ＭＨｚ〜４１５０ＭＨｚ）となる。放送信号Ｆと放送信号Ｇは混合部１３で混合されて放送信号Ｈ（周波数帯４７０ＭＨｚ〜４１５０ＭＨｚ）となり、その後、電気−光変換部（Ｅ／Ｏ）１４で光信号に変換され、光出力端子１５から光ファイバ１６へ送出され、当該光ファイバ１６を通じて受信処理装置１８の光入力端子１７に伝送される。
【００２８】
受信処理装置１８に入力された光信号は光−電気変換部（Ｏ／Ｅ）１９により電気信号に変換され、これによって光送信前の放送信号Ｈが復元される。この放送信号Ｈは、分割部２０で放送信号Ｆと放送信号Ｇに周波数帯別に分割される。放送信号Ｆは宅内出力に適した電気信号に増幅部２３ａで増幅された後、出力端子２４ａから同軸ケーブル２５ａへ出力される。
【００２９】
一方、放送信号Ｇは分割部２１で放送信号Ｄ’と放送信号Ｅ’に分割される。放送信号Ｄ’と放送信号Ｅ’は夫々の周波数変換部２２ａ，２２ｂで周波数変換され、送信処理装置８の入力信号である放送信号Ｄと放送信号Ｅに復元される。これらの放送信号Ｄ，Ｅは、増幅部２３ｂ，２３ｃで夫々宅内出力に適した電気信号に増幅された後、各々の出力端子２４ｂ，２４ｃから同軸ケーブル２５ｂ，２５ｃへ出力される。
【００３０】
同軸ケーブル２５ａによって伝送される放送信号Ｆは、地上デジタル・ＢＳ・１１０度ＣＳチューナ２８ａに入力され、これによって、地上デジタル放送、ＢＳデジタル放送、１１０度ＣＳ放送それぞれのデジタル放送信号を任意に選局して、テレビジョン受像器（ＴＶ）２９で視聴可能となる。
【００３１】
一方、同軸ケーブル２５ｂ，２５ｃによって伝送される放送信号Ｄ，Ｅは共に衛星切替装置３０に入力され、契約等によって決められた放送信号が選択されてＣＳチューナ２８ｂに入力され、これによって任意のチャンネルを選局して、テレビジョン受像器２９で視聴可能となる。
【００３２】
上記構成において、以下、図２及び図３を参照して、その処理動作を説明する。
まず、本システムで受信可能とするデジタル放送信号は、図２に示すように、４７０ＭＨｚ〜７７０ＭＨｚ帯の地上デジタル放送信号（放送信号Ａ）、１０３２ＭＨｚ〜１４８９ＭＨｚ帯のＢＳ（Broadcast Satellite）放送信号（但し、１３３６ＭＨｚ〜１４８９ＭＨｚは拡張領域）（放送信号Ｂ）、１５９５ＭＨｚ〜２６０２ＭＨｚ帯の１１０度ＣＳ（Communication Satellite）右旋（１５９５ＭＨｚ〜２０７１ＭＨｚ）・左旋（２１２６ＭＨｚ〜２６０２ＭＨｚ）放送信号（放送信号Ｃ）に対し、ＪＣＳＡＴ−３通信衛星放送信号（放送信号Ｄ）及びＪＣＳＡＴ−４Ａ通信衛星放送信号（放送信号Ｅ）がそれぞれ中間周波数帯１０００ＭＨｚ〜２０７２ＭＨｚ帯（Ｖ：１０００ＭＨｚ〜１５５０ＭＨｚ，Ｈ：１５５２ＭＨｚ〜２０７２ＭＨｚ）に変換される。このため、周波数の重複が生じて、１系統（同じ伝送線路）での伝送が不可能となる。
【００３３】
そこで、本発明では、図３に示すように、放送信号Ｄ，Ｅをそれぞれ未使用周波数帯域である２．６ＧＨｚ以上の高周波数帯域に、互いに重複しないように周波数変換して、他の放送信号と混合する。これにより、同軸ケーブルでは伝送困難となった信号となるが、ここでは電気信号から光信号に変換して、光ファイバ１６による光伝送で行うことを特徴とする。このため、伝送周波数帯による減衰量格差があるという問題を解消する。また、伝送すべき信号をデジタルに限定することで、電気／光変換時のチャネル当たりの変調度、全変調度を抑制し、広帯域のデジタル放送信号光伝送をより安易に可能としている。
【００３４】
以上のように、本実施形態のデジタル放送信号伝送システムは、１系統の伝送構成により全てのデジタル放送を伝送できるため、伝送媒体の少数化、装置構成の少数化によるコスト低減が図られる。また、広周波数帯域に渡る信号を光伝送手段で伝送するため、低損失かつ外部からの電気ノイズを受けない信頼性の高い伝送が行える。
【００３５】
（実施例）
図４は、図１に示したデジタル放送信号伝送システムを集合住宅に適用した場合の構成を示す図である。尚、図４において、図１と同一部分には同一符号を付して示す。
図４において特徴とする点は、光ファイバ１６の途中に光増幅器３１及び光スプリッタ３２を介在させ、送信処理装置８から送出される光信号を増幅して複数系統に分岐し、例えば各戸に伝送するようにした点にある。また、ここでは、各戸において、受信処理装置１８から出力された各放送信号は宅内配線設備である分配器２６ａ，２６ｂ，２６ｃなどを経て、テレビ端子２７ａ，２７ｂ，２７ｃから出力され、各々のテレビ受信チューナ２８ａ，２８ｂに入力される。
【００３６】
上記構成による放送信号伝送システムでは、中間に光増幅器３１、光スプリッタ３２を備えることにより、複数の受信処理装置への信号伝送が容易に行える。また、宅内側ではセットトップボックスなどの専用装置を必要とせず、通常のテレビジョン受像機と同様に扱うことができる。
【００３７】
さらに、集合住宅であって超高速ブロードバンド回線（ＦＴＴＨ）がすでに敷設されている場合には、同伝送媒体を共用することにより、例えば集合住宅の棟内における情報通信インフラのトータルコストを低減することができる。
図５に上記実施例の場合の光伝送時の周波数帯域区分を示す。このように、互いに重ならない周波数帯域に配置された結果、同軸ケーブルでは既に不可能な帯域となっているが、本実施例では光ファイバによる光伝送を採用するため、広帯域伝送を低損失で実現可能となる。
【００３８】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】本発明に係るデジタル放送信号伝送システムに適用した場合の構成を示すブロック図。
【図２】図１のシステムで受信可能とするデジタル放送信号の種類とそれぞれの帯域を説明するための図。
【図３】図１のシステムで光信号を生成するための放送信号の周波数変換及び混合の様子を示す図。
【図４】図１のデジタル放送信号伝送システムを集合住宅に適用した場合の実施例の構成を示すブロック図。
【図５】図４に示すシステムで生成される光信号上の放送信号それぞれの周波数区分を示す図。
【符号の説明】
【００４０】
１…ＢＳ・１１０度ＣＳデジタル衛星放送受信用パラボラアンテナ（第１衛星デジタルアンテナ）、
２…周波数コンバータ、
３…地上デジタルＴＶ放送受信用アンテナ（地上デジタルアンテナ）、
４…ブースター、
５…ＣＳデジタル衛星放送受信用パラボラアンテナ（第２衛星デジタルアンテナ）、
６ａ〜６ｄ…第１乃至第４の周波数コンバータ、
７ａ，７ｂ…Ｈ・Ｖ混合器、
８…送信処理装置、
９ａ，９ｂ，９ｃ…入力端子、
１０ａ，１０ｂ…周波数変換部、
１１ｂ，１１ｃ…増幅部、
１２，１３…混合部、
１４…電気−光変換部（Ｅ／Ｏ）、
１５…光出力端子、
１６…光ファイバ、
１７…光入力端子、
１８…受信処理装置、
１９…光−電気変換部（Ｏ／Ｅ）、
２０，２１…分割部、
２３ａ，２３ｂ，２３ｃ…増幅部、
２４ａ，２４ｂ，２４ｃ…出力端子、
２５ａ，２５ｂ，２５ｃ…同軸ケーブル、
２６ａ，２６ｂ，２６ｃ…分配器、
２７ａ，２７ｂ，２７ｃ…テレビ端子、
２８ａ…地上デジタル・ＢＳ・１１０度ＣＳチューナ、
２８ｂ…ＣＳチューナ、
２９…テレビジョン受像器（ＴＶ）、
３０…衛星切替装置、
３１…光増幅器、
３２…光スプリッタ。
【図１】
2006245803.tif 000003
【図２】
2006245803.tif 000004
【図３】
2006245803.tif 000005
【図４】
2006245803.tif 000006
【図５】
2006245803.tif 000007